(57)【要約】      （修正有）【課題】蓄電池の満充電時間を均一化する制御システム、蓄電システムを提供する。【解決手段】蓄電池の充放電を制御する制御システム２４は、蓄電池が満充電の状態に到達してから放電を開始するまでの時間である満充電時間の所定期間内の合計値を取得する取得部６０と、取得部において取得した合計値が目標値に近づくように、蓄電池における充電電流値の上限値を制御する制御部６４と、を備える。取得部において取得した合計値を記憶する記憶部６２をさらに備え、制御部は、記憶部に記憶した合計値の統計値をもとに、充電電流値の上限値を決定する、【選択図】図２
2020010557.tif 000002
【特許請求の範囲】
【請求項１】
蓄電池の充放電を制御する制御システムであって、
前記蓄電池が満充電の状態に到達してから放電を開始するまでの時間である満充電時間の所定期間内の合計値を取得する取得部と、
前記取得部において取得した合計値が目標値に近づくように、前記蓄電池における充電電流値の上限値を制御する制御部と、
を備える制御システム。
【請求項２】
前記取得部において取得した合計値を記憶する記憶部をさらに備え、
前記制御部は、前記記憶部に記憶した合計値の統計値をもとに、前記充電電流値の上限値を決定する、
請求項１に記載の制御システム。
【請求項３】
前記制御部は、前記記憶部に記憶した合計値の統計値をもとに、前記目標値を再設定する、
請求項２に記載の制御システム。
【請求項４】
天気予報データを受けつける入力部をさらに備え、
前記制御部は、前記入力部において受けつけた前記天気予報データをもとに、前記充電電流値の上限値を調節する、
請求項１または２に記載の制御システム。
【請求項５】
前記蓄電池の使用状況に関する情報を受けつける入力部をさらに備え、
前記制御部は、前記入力部において受けつけた前記情報をもとに、前記充電電流値の上限値を調節する、
請求項１または２に記載の制御システム。
【請求項６】
請求項１から５のいずれか１項に記載の制御システムと、
前記蓄電池と、
を備える蓄電システム。
【発明の詳細な説明】
【技術分野】
【０００１】
本開示は、蓄電池の充放電を制御する制御システム、蓄電システムに関する。
【背景技術】
【０００２】
蓄電池を満充電のまま長時間放置すると、電解質や活物質の劣化により容量低下が引き起こされる。容量低下により、充電池の充電を十分に行っても、もとの容量まで回復しなくなる。満充電での放置時において蓄電池の劣化を抑えて長寿命化させるために、蓄電池への充電量が曜日に応じて制御される（例えば、特許文献１参照）。
【先行技術文献】
【特許文献】
【０００３】
【特許文献１】特開平１０−５１９６８号公報
【発明の概要】
【発明が解決しようとする課題】
【０００４】
曜日毎に蓄電池の使用状況が同一であれば、蓄電池への充電量を曜日に応じて制御することは有効である。しかしながら、同一の曜日であっても日によって蓄電池の使用状況が異なることもある。その結果、蓄電池を満充電のままにする満充電時間が日によって異なり、満充電時間が長くなる場合も発生する。満充電時間を短縮するために、満充電時間を均一化することが望まれる。
【０００５】
本開示はこうした状況に鑑みなされたものであり、その目的は、蓄電池の満充電時間を均一化させる技術を提供することにある。
【課題を解決するための手段】
【０００６】
上記課題を解決するために、本開示のある態様の制御システムは、蓄電池の充放電を制御する制御システムであって、蓄電池が満充電の状態に到達してから放電を開始するまでの時間である満充電時間の所定期間内の合計値を取得する取得部と、取得部において取得した合計値が目標値に近づくように、蓄電池における充電電流値の上限値を制御する制御部と、を備える。
【０００７】
なお、以上の構成要素の任意の組合せ、本開示の表現を方法、装置、システム、コンピュータプログラム、またはコンピュータプログラムを記録した記録媒体などの間で変換したものもまた、本開示の態様として有効である。
【発明の効果】
【０００８】
本開示によれば、蓄電池の満充電時間を均一化できる。
【図面の簡単な説明】
【０００９】
【図１】実施例１に係る蓄電システムの構成を示す図である。
【図２】図１の第１電力変換装置および制御システムの構成を示す図である。
【図３】図２の制御部による処理の概要を示す図である。
【図４】図２の制御部による充電電流値の上限値の制御手順を示すフローチャートである。
【図５】図２の制御部による目標値の調節手順を示すフローチャートである。
【図６】実施例２に係る第１電力変換装置および制御システムの構成を示す図である。
【図７】図６の制御部に保持されるテーブルのデータ構造を示す図である。
【図８】実施例３に係る第１電力変換装置および制御システムの構成を示す図である。
【図９】図８の制御部に保持されるテーブルのデータ構造を示す図である。
【発明を実施するための形態】
【００１０】
（実施例１）
本開示の実施例を具体的に説明する前に、本実施例の概要を説明する。実施例は、需要家において蓄電池が電力系統に接続された蓄電システムに関する。需要家は、電力会社等からの電力の供給を受けている施設であり、例えば、住宅、事務所、店舗、工場、公園などである。需要家において電力系統から延びる配電線には、負荷が接続される。また、配電線は、分岐点において複数の配電線に分岐され、分岐された配電線の１つに蓄電池が接続され、別の１つに太陽電池が接続される。蓄電池には電力変換装置が接続されており、電力変換装置を介して蓄電池は充放電を実行する。負荷は、電力系統からの電力、太陽電池からの電力、蓄電池からの電力の供給を受けるが、負荷における電力の消費量は日によって異なる。また、太陽電池において発電される電力量も日によって異なる。
【００１１】
このような構成において、蓄電池の劣化を抑えて長寿命化させるために、蓄電池が満充電である満充電時間を短くすることが好まれる。しかしながら、負荷における電力の消費量、太陽電池において発電される電力量が変動する状況下では、満充電時間も変動する。満充電時間が変動するので、満充電時間を短縮するような制御が困難になる。そのため、満充電時間の均一化が望まれる。
【００１２】
本実施例に係る蓄電システムでは、満充電時間の所定期間、例えば１日内の合計値が計測される。また、蓄電システムでは、所望の満充電時間が目標値として設定されており、計測した合計値が目標値に近づくように、蓄電池における充電電流値の上限値が制御される。例えば、合計値が目標値よりも大きければ、充電電流値の上限値が減少され、合計値が目標値よりも小さければ、充電電流値の上限値が増加される。前者の場合、充電電流値の上限値の減少によって、蓄電池が満充電になるまでの時間が長くなり、満充電時間が短くなるので、合計値が目標値に近づく。一方、後者の場合、充電電流値の上限値の増加によって、蓄電池が満充電になるまでの時間が短くなり、満充電時間が長くなるので、合計値が目標値に近づく。
【００１３】
図１は、蓄電システム１００の構成を示す。蓄電システム１００は、電力系統１０に接続されるとともに、配電線１２、分岐点１４、第１配電線１６、第２配電線１８、蓄電池２０、第１電力変換装置２２、制御システム２４、太陽電池３０、第２電力変換装置３２、負荷４０、計測装置４２を含む。蓄電システム１００は、需要家内に設置される。蓄電池２０と第１電力変換装置２２は、別の装置として構成されてもよいが、蓄電装置として一体化されてもよい。
【００１４】
電力系統１０は、電力会社の商用電源であり、例えば単相３線式２００Ｖ／１００Ｖの商用電力である。電力系統１０から需要家内に向かって配電線１２が延びる。配電線１２には、公知の技術が使用されればよいので、ここでは説明を省略する。配電線１２は、分岐点１４において第１配電線１６と第２配電線１８とに分岐される。第１配電線１６には蓄電池２０と第１電力変換装置２２が接続され、第２配電線１８には太陽電池３０と第２電力変換装置３２とが接続される。
【００１５】
蓄電池２０は、電力を充放電可能であり、直列または直並列接続された複数の蓄電池セルにより構成される。蓄電池セルには、リチウムイオン蓄電池、ニッケル水素蓄電池、鉛蓄電池、電気二重層キャパシタ、リチウムイオンキャパシタ等が使用される。蓄電池２０として、電気二重層コンデンサが使用されてもよい。第１電力変換装置２２は、第１配電線１６において蓄電池２０と分岐点１４との間に配置される。第１電力変換装置２２は、蓄電池２０の充放電を制御する。制御システム２４は、第１電力変換装置２２に接続され、蓄電池２０における充電電流値の上限値を制御する。このような制御も、蓄電池２０の充放電の制御といえる。第１電力変換装置２２と制御システム２４の構成は後述する。
【００１６】
太陽電池３０は、再生可能エネルギー発電装置であり、蓄電池２０に並列に接続される。太陽電池３０は、光起電力効果を利用し、光エネルギーを直接電力に変換する。太陽電池３０として、シリコン太陽電池、化合物半導体などを素材にした太陽電池、色素増感型（有機太陽電池）等が使用される。太陽電池３０は、発電した直流電力を第２電力変換装置３２に出力する。また、再生可能エネルギー発電装置として、太陽電池３０の代わりに、燃料電池、風力発電装置等が使用されてもよい。第２電力変換装置３２は、ＤＣ−ＡＣインバータであり、太陽電池３０から出力される直流電力を交流電力に変換し、交流電力を第２配電線１８に出力する。
【００１７】
負荷４０は、配電線１２において電力系統１０と分岐点１４との間に配置される。負荷４０は、配電線１２を介して供給される電力を消費する機器である。配電線１２を介して供給される電力には、電力系統１０から供給される電力、蓄電池２０から供給される電力、太陽電池３０から供給される電力が含まれる。負荷４０は、空調機器（エアコン）、テレビジョン受信装置（テレビ）、照明装置の機器を含む。ここでは、１つの負荷４０が配電線１２に接続されているが、複数の負荷４０が配電線１２に接続されてもよい。
【００１８】
計測装置４２は、配電線１２において電力系統１０と負荷４０との間に配置される。計測装置４２は、配電線１２における電力量を測定する電力量計である。計測装置４２の一例は、デジタル式の電力量計であるスマートメータである。計測装置４２は、電力系統１０から入ってくる順潮流の電力量と、電力系統１０へ出て行く逆潮流の電力量とを計測可能である。計測装置４２は、電力量の時間変化をもとに電力を導出する。計測装置４２は、電力値を第１電力変換装置２２に出力する。ここで、電力値には、順潮流であるか、逆潮流であるかの情報が含まれる。
【００１９】
図２は、第１電力変換装置２２および制御システム２４の構成を示す。第１電力変換装置２２は、電力変換部５０、出力制御部５２、監視部５４を含む。制御システム２４は、取得部６０、記憶部６２、制御部６４を含む。図示のごとく、制御システム２４は、取得部６０、記憶部６２、制御部６４を含むように１つの装置として構成されてもよく、取得部６０、記憶部６２、制御部６４が複数の装置に含まれるように構成されてもよい。後者の場合、例えば、取得部６０と記憶部６２が１つの装置として構成され、制御部６４が第１電力変換装置２２に含まれてもよい。
【００２０】
第１電力変換装置２２の電力変換部５０は、図１の蓄電池２０と分岐点１４との間に配置される。電力変換部５０は、分岐点１４からの交流電力を直流電力に変換し、変換した直流電力を蓄電池２０に出力する。また、電力変換部５０は、蓄電池２０からの直流電力を交流電力に変換し、変換した交流電力を分岐点１４に出力する。つまり、電力変換部５０によって蓄電池２０は充放電される。このような電力変換部５０の制御は出力制御部５２によってなされる。
【００２１】
監視部５４は、図１の蓄電池２０との通信を実行し、蓄電池２０の残量に関する情報（以下、「残量情報」という）を順次取得する。残量情報の一例は、ＳＯＣ（Ｓｔａｔｅ  Ｏｆ  Ｃｈａｒｇｅ）である。監視部５４は、取得した残量情報を出力制御部５２と取得部６０に順次出力する。
【００２２】
出力制御部５２は、監視部５４から残量情報を順次受けつけるとともに、図１の計測装置４２から電力値を順次受けつける。出力制御部５２は、残量情報と電力値の少なくとも１つを使用して、電力変換部５０に直流電力を出力させたり、交流電力を出力させたり、直流電力および交流電力の出力を停止させたりする。ここで、電力変換部５０に直流電力を出力させることは蓄電池２０を充電させることに相当し、電力変換部５０に交流電力を出力させることは蓄電池２０を放電させることに相当する。例えば、電力値が逆潮流を示す場合、出力制御部５２は、直流電力を出力させるか、直流電力および交流電力の出力を停止させる。つまり、このような場合において、出力制御部５２は、交流電力を出力させない。一方、電力値が順潮流を示し、かつ順潮流の電力値がピークカット用のしきい値よりも大きい場合、出力制御部５２は、交流電力を出力させる。残量情報において示された残量が空状態判定用のしきい値よりも小さい場合、出力制御部５２は、直流電力を出力させてもよい。
【００２３】
制御システム２４の取得部６０は、監視部５４から残量情報を順次受けつける。取得部６０は、残量が満充電でない状態から満充電の状態に到達した時刻を「到達時刻」として取得する。また、取得部６０は、残量が満充電の状態から満充電でない状態に変わった時刻を「終了時刻」として取得する。満充電でない状態に変わった時刻は、蓄電池２０が放電を開始する時刻に相当する。取得部６０は、終了時刻から到達時刻を減算することによって、蓄電池２０が満充電の状態に到達してから放電を開始するまでの時間である満充電時間を取得する。さらに、取得部６０は、所定期間、例えば１日内において満充電時間を積算することによって、満充電時間の合計値を取得する。１日内において蓄電池２０が１回だけ満充電の状態に到達した場合、合計値は満充電時間と同一である。取得部６０は、満充電時間の合計値を記憶部６２に出力する。
【００２４】
記憶部６２は、取得部６０において取得した合計値を記憶する。つまり、記憶部６２は、複数の所定期間のそれぞれに対する合計値を記憶する。制御部６４は、記憶部６２に記憶した複数の合計値のうち、最新のタイミングから過去に遡るように、所定個数の合計値を抽出する。制御部６４は、抽出した合計値の統計値、例えば平均値を計算する。ここで、制御部６４は、記憶部６２に記憶した複数の合計値のうち、最新のタイミングの合計値だけを抽出して、統計値を計算しなくてもよい。以下では、合計値の統計値、最新のタイミングの合計値を「合計値（Ｔ１）」という。一方、制御部６４には、目標とすべき満充電時間が目標値（Ｔ２）として設定される。
【００２５】
制御部６４は、合計値（Ｔ１）が目標値（Ｔ２）に近づくように、蓄電池２０における充電電流値の上限値を決定する。図３は、制御部６４による処理の概要を示す。縦軸は蓄電池２０のＳＯＣを示し、横軸は１日における時刻を示す。一例として、ＳＯＣが０％であるタイミングｔ０まで出力制御部５２は蓄電池２０の充放電を停止している。出力制御部５２はタイミングｔ０から蓄電池２０の充電を開始し、ＳＯＣが１００％であるタイミングｔ１において蓄電池２０の充電を終了する。タイミングｔ１からタイミングｔ２まで出力制御部５２は蓄電池２０の充放電を停止する。タイミングｔ２において出力制御部５２は蓄電池２０の放電を開始し、ＳＯＣが０％であるタイミングｔ３において蓄電池２０の放電を終了する。このような状況では、１日内において蓄電池２０が１回だけ満充電の状態に到達しているので、タイミングｔ１からタイミングｔ２までの期間が、前述の合計値（Ｔ１）に相当する。また、タイミングｔ０からタイミングｔ１の期間に対するＳＯＣ増加の傾きが充電電流値に相当する。ここでは、説明を明瞭にするために、充電電流値は充電電流値の上限値に等しいとする。
【００２６】
一方、目標値（Ｔ２）は、図示のごとく、タイミングｔ１’からタイミングｔ２にわたる期間として設定される。タイミングｔ１’はタイミングｔ１よりも後のタイミングであるので、目標値（Ｔ２）は合計値（Ｔ１）よりも短い。目標値（Ｔ２）を実現するために、出力制御部５２は、タイミングｔ０から蓄電池２０の充電を開始し、タイミングｔ１’において蓄電池２０の充電を終了すべきである。そのため、充電電流値の上限値は、タイミングｔ０からタイミングｔ１’の期間に対するＳＯＣ増加の傾きに設定されるべきである。その結果、制御部６４は、タイミングｔ０からタイミングｔ１の期間に対するＳＯＣ増加の傾きを、タイミングｔ０からタイミングｔ１’の期間に対するＳＯＣ増加の傾きに近づけるように、充電電流値の上限値を減少させる。図２に戻る。
【００２７】
制御部６４は、決定した充電電流値の上限値を第１電力変換装置２２の出力制御部５２に出力する。出力制御部５２は、充電電流値の上限値を電力変換部５０に設定する。電力変換部５０は、電力変換部５０に直流電力を出力させる場合、つまり蓄電池２０を充電させる場合に、充電電流値の上限値以下となるように充電電流値を制限する。
【００２８】
以上の処理に加えて、制御部６４は、目標値（Ｔ２）を自動的に調節してもよい。前述のごとく、制御部６４は、記憶部６２に記憶した複数の合計値のうち、最新のタイミングから過去に遡るように、所定個数の合計値を抽出する。制御部６４は、抽出した合計値の統計値、例えば目標値に対する合計値の分散値を計算する。制御部６４は、分散値が第１しきい値よりも大きければ目標値（Ｔ２）を増加させる。これは、現在の目標値（Ｔ２）をもとに充電電流値の上限値を決定すると、蓄電池２０が満充電とならない場合が発生しうる可能性が高いので、目標値（Ｔ２）を大きくすることに相当する。
【００２９】
一方、制御部６４は、分散値が第２しきい値よりも小さければ目標値（Ｔ２）を減少させる。ここで、第２しきい値は第１しきい値よりも小さくされる。これは、現在の目標値（Ｔ２）をもとに充電電流値の上限値を決定すると、蓄電池２０が満充電とならない場合が発生しうる可能性が低いので、目標値（Ｔ２）を小さくすることに相当する。このように制御部６４は、記憶部６２に記憶した合計値の統計値をもとに、目標値（Ｔ２）を再設定する。
【００３０】
本開示における装置、システム、または方法の主体は、コンピュータを備えている。このコンピュータがプログラムを実行することによって、本開示における装置、システム、または方法の主体の機能が実現される。コンピュータは、プログラムにしたがって動作するプロセッサを主なハードウェア構成として備える。プロセッサは、プログラムを実行することによって機能を実現することができれば、その種類は問わない。プロセッサは、半導体集積回路（ＩＣ）、またはＬＳＩ（Ｌａｒｇｅ  Ｓｃａｌｅ  Ｉｎｔｅｇｒａｔｉｏｎ）を含む１つまたは複数の電子回路で構成される。複数の電子回路は、１つのチップに集積されてもよいし、複数のチップに設けられてもよい。複数のチップは１つの装置に集約されていてもよいし、複数の装置に備えられていてもよい。プログラムは、コンピュータが読み取り可能なＲＯＭ、光ディスク、ハードディスクドライブなどの非一時的記録媒体に記録される。プログラムは、記録媒体に予め格納されていてもよいし、インターネット等を含む広域通信網を介して記録媒体に供給されてもよい。
【００３１】
以上の構成による蓄電システム１００の動作を説明する。図４は、制御部６４による充電電流値の上限値の制御手順を示すフローチャートである。制御部６４は、合計値の平均値を導出する（Ｓ１０）。合計値の平均値が目標値よりも大きい場合（Ｓ１２のＹ）、制御部６４は充電電流値の上限値を減少させる（Ｓ１４）。一方、合計値の平均値が目標値よりも大きくなく（Ｓ１２のＮ）、小さい場合（Ｓ１６のＹ）、制御部６４は充電電流値の上限値を増加させる（Ｓ１８）。合計値の平均値が目標値よりも小さくない場合（Ｓ１６のＮ）、つまり、合計値の平均値と目標値とが等しい場合、ステップ１８はスキップされる。
【００３２】
図５は、制御部６４による目標値の調節手順を示すフローチャートである。制御部６４は、目標値に対する合計値の分散値を導出する（Ｓ５０）。合計値の分散値が第１しきい値よりも大きい場合（Ｓ５２のＹ）、制御部６４は目標値を増加させる（Ｓ５４）。合計値の分散値が第１しきい値よりも大きくなく（Ｓ５２のＮ）、第２しきい値よりも小さい場合（Ｓ５６のＹ）、制御部６４は目標値を減少させる（Ｓ５８）。合計値の分散値が第２しきい値よりも小さくない場合（Ｓ５６のＮ）、ステップ５８はスキップされる。
【００３３】
本実施例によれば、満充電時間の所定期間内の合計値が目標値に近づくように、蓄電池２０における充電電流値の上限値を制御するので、蓄電池２０の満充電時間を均一化できる。また、蓄電池２０の満充電時間が均一化されるので、蓄電池２０の満充電時間を短縮できる。また、蓄電池２０の満充電時間を短縮されるので、蓄電池２０を長寿命化できる。また、合計値の平均値をもとに、充電電流値の上限値を決定するので、合計値に含まれる誤差の影響を低減できる。また、合計値に含まれる誤差の影響が低減されるので、充電電流値の上限値の決定精度を向上できる。また、合計値の分散値をもとに、目標値を再設定するので、目標値の設定精度を向上できる。
【００３４】
本開示の一態様の概要は、次の通りである。本開示のある態様の制御システム２４は、蓄電池２０の充放電を制御する制御システム２４であって、蓄電池２０が満充電の状態に到達してから放電を開始するまでの時間である満充電時間の所定期間内の合計値を取得する取得部６０と、取得部６０において取得した合計値が目標値に近づくように、蓄電池２０における充電電流値の上限値を制御する制御部６４と、を備える。
【００３５】
取得部６０において取得した合計値を記憶する記憶部６２をさらに備えてもよい。制御部６４は、記憶部６２に記憶した合計値の統計値をもとに、充電電流値の上限値を決定する。
【００３６】
制御部６４は、記憶部６２に記憶した合計値の統計値をもとに、目標値を再設定する。
【００３７】
制御システム２４と、蓄電池２０と、を備えてもよい。
【００３８】
（実施例２）
次に、実施例２を説明する。実施例２は、実施例１と同様に、需要家において蓄電池が電力系統に接続された蓄電システムに関する。実施例１では、合計値と目標値とを比較することによって充電電流値の上限値が制御される。ここで、合計値には、天気が晴れている場合の満充電時間、天気が曇りあるいは雨の場合の満充電時間が反映されている。そのため、充電電流値の上限値は、天気が晴れ、曇り、雨である場合を混合した状態における値である。一方、天気が晴れ、曇り、雨のいずれかであるかに応じて太陽電池の発電量が異なり、特に天気が晴れている場合にはその他の場合と比較して太陽電池の発電量が増加する。そのため、天気が晴れている場合に、前述のごとく決定された充電電流値の上限値を使用すると、満充電までの時間が短くなり、満充電時間が長くなってしまう可能性がある。実施例２では、このような天気の違いを考慮して充電電流値の上限値が調節される。ここでは、実施例１との差異を中心に説明する。
【００３９】
図６は、第１電力変換装置２２および制御システム２４の構成を示す。第１電力変換装置２２および制御システム２４は、図２の構成に加えて、入力部６６を含む。また、入力部６６は、ネットワーク７０、天気予報サーバ７２に接続される。入力部６６は、通信機能を有し、ネットワーク７０を介して天気予報サーバ７２に接続される。天気予報サーバ７２は、需要家外に設置される。天気予報サーバ７２は、天気予報データを管理する。天気予報データには、例えば、天気予報、降水確率が含まれる。天気予報サーバ７２は、天気予報データを送信する。
【００４０】
制御システム２４の入力部６６は、天気予報サーバ７２から天気予報データを受けつける。入力部６６は天気予報データを制御部６４に出力する。制御部６４は、天気予報データにさまざまな地域の天気予報が含まれる場合、需要家の存在する地域における天気予報を抽出する。図７は、制御部６４に保持されるテーブルのデータ構造を示す。図示のごとく、天気予報と係数が対応づけられる。ここでは、一例として、天気予報が「晴れ」である場合に係数「ｋ」が規定される。ｋは１より小さい値である。天気予報が「晴れ」以外の場合においても係数が規定されてもよい。天気予報が「晴れ」以外の場合の係数は、例えば、係数「ｋ」よりも大きい値とされる。図６に戻る。制御部６４は、入力部６６において受けつけた天気予報データをもとに、テーブルから係数を取得する。制御部６４は、実施例１のように決定した充電電流値の上限値に係数を乗算することによって、充電電流値の上限値を調節する。具体的には、天気予報が「晴れ」である場合に、充電電流値の上限値が小さくなるように調整がなされる。制御部６４は、調節した充電電流値の上限値を出力制御部５２に出力する。
【００４１】
本実施例によれば、係数を充電電流値の上限値に乗算するので、充電電流値の上限値を係数により補正できる。また、天気予報データをもとに係数を決定するので、天気予報データに適した充電電流値の上限値を使用できる。
【００４２】
本開示の一態様の概要は、次の通りである。天気予報データを受けつける入力部６６をさらに備えてもよい。制御部６４は、入力部６６において受けつけた天気予報データをもとに、充電電流値の上限値を調節する。
【００４３】
（実施例３）
次に、実施例３を説明する。実施例３は、これまでと同様に、需要家において蓄電池が電力系統に接続された蓄電システムに関する。実施例２では、天気の違いを考慮して充電電流値の上限値が調節される。一方、蓄電システムの使い方はユーザによって異なる。例えば、非常時にそなえて満充電の状態を長く維持したいと考えるユーザもいる。実施例３では、このようなユーザによる蓄電システムの使い方の違いを考慮して充電電流値の上限値が調節される。ここでは、これまでとの差異を中心に説明する。
【００４４】
図８は、第１電力変換装置２２および制御システム２４の構成を示す図である。第１電力変換装置２２および制御システム２４は、図２の構成に加えて、入力部６６、操作部６８を含む。操作部６８は、ユーザによって操作可能なインターフェイスであり、例えば、ボタン、キーボード等である。ここでは、一例として、操作モードとして、通常、急速のいずれかがユーザによって入力される。急速の操作モードは、通常の操作モードよりも充電時間が短くなるモードである。操作部６８は、いずれかの操作モードに関する情報を、蓄電池２０の使用状況に関する情報として入力部６６に出力する。
【００４５】
入力部６６は、蓄電池２０の使用状況に関する情報を受けつける。入力部６６は、蓄電池２０の使用状況に関する情報を制御部６４に出力する。制御部６４は、蓄電池２０の使用状況に関する情報から、通常の操作モードあるいは急速の操作モードに関する情報を抽出する。図９は、制御部６４に保持されるテーブルのデータ構造を示す。図示のごとく、操作モードと係数が対応づけられる。ここでは、一例として、操作モードが「急速」である場合に係数「ｋ」が規定される。ｋは１より大きい値である。操作モードが「急速」以外の場合においても係数が規定されてもよい。操作モードが「急速」以外の場合の係数は、例えば、係数「ｋ」よりも小さい値とされる。図６に戻る。制御部６４は、入力部６６において受けつけた情報をもとに、テーブルから係数を取得する。制御部６４は、実施例１のように決定した充電電流値の上限値に係数を乗算することによって、充電電流値の上限値を調節する。具体的には、操作モードが「急速」である場合に、充電電流値の上限値が大きくなるように調整がなされる。制御部６４は、調節した充電電流値の上限値を出力制御部５２に出力する。
【００４６】
本実施例によれば、係数を充電電流値の上限値に乗算するので、充電電流値の上限値を係数により補正できる。また、蓄電池２０の使用状況に関する情報をもとに係数を決定するので、蓄電池２０の使用状況に関する情報に適した充電電流値の上限値を使用できる。
【００４７】
本開示の一態様の概要は、次の通りである。蓄電池２０の使用状況に関する情報を受けつける入力部６６をさらに備えてもよい。制御部６４は、入力部６６において受けつけた情報をもとに、充電電流値の上限値を調節する。
【００４８】
以上、本開示を実施例をもとに説明した。この実施例は例示であり、それらの各構成要素あるいは各処理プロセスの組合せにいろいろな変形例が可能なこと、またそうした変形例も本開示の範囲にあることは当業者に理解されるところである。
【符号の説明】
【００４９】
１０  電力系統、  １２  配電線、  １４  分岐点、  １６  第１配電線、  １８  第２配電線、  ２０  蓄電池、  ２２  第１電力変換装置、  ２４  制御システム、  ３０  太陽電池、  ３２  第２電力変換装置、  ４０  負荷、  ４２  計測装置、  ５０  電力変換部、  ５２  出力制御部、  ５４  監視部、  ６０  取得部、  ６２  記憶部、  ６４  制御部、  １００  蓄電システム。
【図１】
2020010557.tif 000003
【図２】
2020010557.tif 000004
【図３】
2020010557.tif 000005
【図４】
2020010557.tif 000006
【図５】
2020010557.tif 000007
【図６】
2020010557.tif 000008
【図７】
2020010557.tif 000009
【図８】
2020010557.tif 000010
【図９】
2020010557.tif 000011